(57)【特許請求の範囲】
【請求項１】
外周に多数の炎孔が形成された環状のコンロバーナと、該コンロバーナで囲われるバーナ内周空間から上方に突出する鍋底温度センサとを備える鍋底温度センサ付きガスコンロにおいて、
前記コンロバーナの下方に配設されてバーナ内周空間の下端側に向けて該コンロバーナに点火するための炎を伸長形成させるパイロットバーナと、該パイロットバーナに隣設されて該パイロットバーナに点火する点火プラグと、前記バーナ内周空間に上下方向に延設されて前記パイロットバーナの炎を前記コンロバーナの炎孔の上部位置に案内する炎案内部材とを備え、
該炎案内部材は、前記パイロットバーナの炎を鍋底温度センサと非接触状態でバーナ内周空間に沿って上方に案内する隔壁部と、該隔壁部の上端に屈曲部を介して連設され、前記コンロバーナの外周に向かって前記パイロットバーナの炎を案内する導出案内部とを備え、
前記炎案内部材は、前記隔壁部を除く側を開放面とする樋状に形成されており、
該樋状の炎案内部材は、前記屈曲部での開放面と、前記屈曲部より下方の開放面とで互いに異なる向きとされていることを特徴とする鍋底温度センサ付きガスコンロ。
【請求項２】
外周に多数の炎孔が形成された環状のコンロバーナと、該コンロバーナで囲われるバーナ内周空間から上方に突出する鍋底温度センサとを備える鍋底温度センサ付きガスコンロにおいて、
前記コンロバーナの下方に配設されてバーナ内周空間の下端側に向けて該コンロバーナに点火するための炎を伸長形成させるパイロットバーナと、該パイロットバーナに隣設されて該パイロットバーナに点火する点火プラグと、前記バーナ内周空間に上下方向に延設されて前記パイロットバーナの炎を前記コンロバーナの炎孔の上部位置に案内する炎案内部材とを備え、
該炎案内部材は、前記パイロットバーナの炎を鍋底温度センサと非接触状態でバーナ内周空間に沿って上方に案内する隔壁部と、該隔壁部の上端に屈曲部を介して連設され、前記コンロバーナの外周に向かって前記パイロットバーナの炎を案内する導出案内部とを備え、
前記隔壁部は、その一部に、前記パイロットバーナの炎に対する保炎用空気を取り入れる空気取入孔と、該空気取入孔の上縁に連設された舌片とを備えることを特徴とする鍋底温度センサ付きガスコンロ。
【請求項３】
前記導出案内部は、前記コンロバーナの外周端に向かって次第に拡開する形状に形成されていることを特徴とする請求項２記載の鍋底温度センサ付きガスコンロ。
【発明の詳細な説明】
【技術分野】
【０００１】
本発明は、環状のコンロバーナに形成されているバーナ内周空間から上方に突出する鍋底温度センサを備える鍋底温度センサ付きガスコンロに関する。
【背景技術】
【０００２】
一般に外周に多数の炎孔が形成されたコンロバーナを備えるガスコンロにおいては、コンロバーナの外側近傍に点火プラグを設けて火花放電による点火が行われている。しかし、コンロバーナの外側近傍に点火プラグを設けた場合には、調理の際の煮こぼれ汁が点火プラグに付着して点火性能が低下するおそれがある。
【０００３】
そこで、コンロバーナに点火するための炎を形成するパイロットバーナをコンロバーナの下方に配設したガスコンロが知られている（例えば、下記特許文献１参照）。
【０００４】
このガスコンロにおいては、コンロバーナは環状に形成され、パイロットバーナの炎は、バーナ内周空間の下方から斜め上方に向って伸長形成される。これにより、パイロットバーナの炎がバーナ内周空間を経てコンロバーナの炎孔に届き、コンロバーナに点火される。
【０００５】
このように構成されたガスコンロによれば、パイロットバーナとそれに点火する点火プラグがコンロバーナの下方に隠れた状態で設けられるので、点火プラグへの煮こぼれ汁の付着を防止して良好な点火性能を得ることができる。
【０００６】
ところで、近年、ガスコンロにおいては、調理の際に鍋等の過熱を防止するために、コンロバーナのバーナ内周空間から上方に突出する鍋底温度センサが設けられる（例えば、下記特許文献２参照）。そして、鍋底温度センサを備えるガスコンロにおいても、前記パイロットバーナを設けることにより点火プラグへの煮こぼれ汁の付着を防止することが考えられる。
【先行技術文献】
【特許文献】
【０００７】
【特許文献１】特開昭６０−２３３４２６号公報
【特許文献２】特開平１１−９４２４５号公報
【発明の概要】
【発明が解決しようとする課題】
【０００８】
しかし、鍋底温度センサが設けられているコンロバーナにおいては、当該コンロバーナの下方に前記パイロットバーナを設けた場合に、パイロットバーナの炎が鍋底温度センサに当たってコンロバーナの炎孔に届き難く、コンロバーナへの点火が確実に行えない。しかも、パイロットバーナの炎が鍋底温度センサに直接当たると鍋底温度センサの構成部品が加熱されて損傷するおそれがある。
【０００９】
上記の点に鑑み、本発明は、点火プラグへの煮こぼれ汁の付着を防止し、鍋底温度センサを損傷させることなく点火を確実に行うことができる鍋底温度センサ付きガスコンロを提供することを目的とする。
【課題を解決するための手段】
【００１０】
上記目的を達成するために、本発明は、外周に多数の炎孔が形成された環状のコンロバーナと、該コンロバーナで囲われるバーナ内周空間から上方に突出する鍋底温度センサとを備える鍋底温度センサ付きガスコンロにおいて、前記コンロバーナの下方に配設されてバーナ内周空間の下端側に向けて該コンロバーナに点火するための炎を伸長形成させるパイロットバーナと、該パイロットバーナに隣設されて該パイロットバーナに点火する点火プラグと、前記バーナ内周空間に上下方向に延設されて前記パイロットバーナの炎を前記コンロバーナの炎孔の上部位置に案内する炎案内部材とを備え、該炎案内部材は、前記パイロットバーナの炎を鍋底温度センサと非接触状態でバーナ内周空間に沿って上方に案内する隔壁部と、該隔壁部の上端に屈曲部を介して連設され、前記コンロバーナの外周に向かって前記パイロットバーナの炎を案内する導出案内部とを備え、前記炎案内部材は、前記隔壁部を除く側を開放面とする樋状に形成されており、該樋状の炎案内部材は、前記屈曲部での開放面と、前記屈曲部より下方の開放面とで互いに異なる向きとされていることを特徴とする。
【００１１】
以上の構成により、前記コンロバーナの下方からバーナ内周空間の下端側に向けて伸びるパイロットバーナの炎は、炎案内部材の隔壁部により鍋底温度センサと非接触状態でバーナ内周空間に沿って上方に案内される。これにより、鍋底温度センサの構成部品がパイロットバーナの炎に炙られることがなく、鍋底温度センサの構成部品の損傷が防止される。
【００１２】
炎案内部材の隔壁部の上端に案内されたパイロットバーナの炎は、前記屈曲部により略水平方向に屈曲案内された後、前記導出案内部により前記コンロバーナの外周に向かって案内される。そして、炎案内部材の導出案内部を経てコンロバーナの炎孔の上部位置に導出されたパイロットバーナの炎によりコンロバーナが点火される。
【００１３】
このように、本発明によれば、コンロバーナのバーナ内周空間に鍋底温度センサが設けられていても、炎案内部材によりパイロットバーナの炎をコンロバーナの炎孔の上部位置に導くことができるので、コンロバーナの下方に位置させたパイロットバーナにより、コンロバーナへの点火を確実に行うことができる。
【００１４】
ところで、炎案内部材を管状に形成した場合には、炎案内部材の内部への保炎用空気の取り入れが不十分となってパイロットバーナの炎が消失するおそれがある。それに対して、本発明においては、前記炎案内部材が樋状に形成されていることにより、開放された一側から炎案内部材の内部に確実に保炎用空気を取り入れることができ、パイロットバーナの炎の消失を防止することができる。
【００１５】
また、本発明は、外周に多数の炎孔が形成された環状のコンロバーナと、該コンロバーナで囲われるバーナ内周空間から上方に突出する鍋底温度センサとを備える鍋底温度センサ付きガスコンロにおいて、前記コンロバーナの下方に配設されてバーナ内周空間の下端側に向けて該コンロバーナに点火するための炎を伸長形成させるパイロットバーナと、該パイロットバーナに隣設されて該パイロットバーナに点火する点火プラグと、前記バーナ内周空間に上下方向に延設されて前記パイロットバーナの炎を前記コンロバーナの炎孔の上部位置に案内する炎案内部材とを備え、該炎案内部材は、前記パイロットバーナの炎を鍋底温度センサと非接触状態でバーナ内周空間に沿って上方に案内する隔壁部と、該隔壁部の上端に屈曲部を介して連設され、前記コンロバーナの外周に向かって前記パイロットバーナの炎を案内する導出案内部とを備え、前記隔壁部は、その一部に、前記パイロットバーナの炎に対する保炎用空気を取り入れる空気取入孔と、該空気取入孔の上縁に連設された舌片とを備えることを特徴とする。
これによれば、隔壁部の一部から保炎用空気が取り入れ可能となるので、炎案内部材を樋状に形成した場合に限らず、確実に保炎用空気を取り入れてパイロットバーナの炎の消失を防止することができ、炎案内部材の設計自由度も向上する。
【００１６】
また、本発明においては、前記炎案内部材の前記導出案内部を、前記コンロバーナの外周端に向かって次第に拡開する形状に形成してもよい。こうすることにより、導出案内部から導出されるパイロットバーナからの炎に対する保炎効果が得られ、コンロバーナの点火を確実に行うことができる。
【図面の簡単な説明】
【００１７】
【図１】本発明の第１の実施形態のガスコンロの要部を示す断面説明図。
【図２】第１の実施形態のガスコンロの要部を図１と異なる方向から示す断面説明図。
【図３】第１の実施形態におけるパイロットバーナの先端部を示す説明的斜視図。
【図４】第１の実施形態における炎案内部材を示す説明的斜視図。
【図５】本発明の第２の実施形態のガスコンロの要部を示す断面説明図。
【図６】第２の実施形態における炎案内部材を示す斜視図。
【図７】第２の実施形態におけるバーナ内周空間を平面視した説明図。
【図８】第２の実施形態における二次空気案内筒及び炎案内部材の要部の断面説明図。
【発明を実施するための形態】
【００１８】
本発明の第１の実施形態のガスコンロについて、図１〜図４を参照して説明する。第１の実施形態のガスコンロは、図１及び図２に示すように、天板１と、この天板１上に露出するコンロバーナ２とを備えている。天板１は、図示省略した箱形状のコンロ本体の上面を覆っている。コンロバーナ２は、コンロ本体の内部に設けられた支持部材３により支持され、天板１に形成されたバーナ用開口４を介して天板１上に露出している。また、図示しないが、コンロバーナ２の外周側の天板１上には調理の際に鍋等の調理容器を支持する五徳が載置されている。
【００１９】
コンロバーナ２は、図２に一部を示す混合管部５と、混合管部５の下流端から立ち上がって天板１のバーナ用開口４に挿通される中空のバーナヘッド部６と、バーナヘッド部６の上端に載置される環状のバーナキャップ部７とを備えている。
【００２０】
図１及び図２に示すように、バーナキャップ部７の下面外周部には、周方向の隙間を存して多数の歯形が垂設され、これら歯形間の隙間で炎孔８が形成されている。そして、混合管部５で生成される混合気（燃料ガスと一次空気との混合ガス）がバーナヘッド部６を介してバーナキャップ部７の炎孔８から噴出して燃焼するようになっている。
【００２１】
バーナキャップ部７の内側には、上下方向に延びる筒状の二次空気案内筒９が設けられている。二次空気案内筒９はコンロ本体内部と通気可能に連通するバーナ内周空間１０を形成している。更に、バーナキャップ部７上には、環状の二次空気整流板１１が取り付けられている。二次空気整流板１１は、二次空気案内筒９の内部を上昇した二次空気を付き当てて放射方向に拡散させ、バーナキャップ部７の炎孔８に燃焼用二次空気が円滑に供給されるようにしている。
【００２２】
バーナキャップ部７は、バーナヘッド部６から容易に取り外せるようになっているが、図１に示すように、支持部材３に連設されている位置決め片１２が二次空気案内筒９の一部に形成されている切欠き１３に係止することにより回り止めされた状態に位置決めされる。二次空気整流板１１は、図示省略した嵌着手段によりバーナキャップ部７上に回り止めされた状態に位置決めして取り付けられている。
【００２３】
また、天板１のバーナ用開口４の周縁とバーナヘッド部６との間は、カバーリング１４により覆われ、コンロ本体内部への煮こぼれ汁や塵埃等の異物の侵入が防止されている。
【００２４】
コンロバーナ２の中央部からは、二次空気案内筒９により形成されたバーナ内周空間１０を通って上方に突出する鍋底温度センサ１５が設けられている。鍋底温度センサ１５は、支持部材３により鉛直方向に支持された支持パイプ１６と、支持パイプ１６の上端部に設けられた感熱ヘッド１７とを備えている。
【００２５】
感熱ヘッド１７は、図示しない感熱素子とバネ部材とを内蔵している。感熱素子から延びるリード線１８は支持パイプ１６内を通って、コンロ本体に設けられている図示しない制御装置に接続されている。感熱ヘッド１７は、前記バネ部材により上方に付勢された状態で下方に移動可能とされている。そして、感熱ヘッド１７は、鍋等の調理容器の底が頂部面１９に当接すると、調理容器の荷重によって下方に移動し、五徳上の調理容器への当接状態を維持する。このように構成された鍋底温度センサ１５は、コンロバーナ２に加熱された調理容器の温度を検出し、リード線１８を介してその検出結果を前記制御手段に渡す。これにより、制御手段は、調理容器から検出された温度に応じてコンロバーナ２の火力調節や消火等を行う。
【００２６】
また、図２に示すように、コンロ本体内部におけるコンロバーナ２の下方位置には、パイロットバーナ２０とパイロットバーナ２０に点火するための点火プラグ２１とが設けられている。パイロットバーナ２０は、図３に先端部を示すように、一対の帯板２０ａ，２０ｂにより形成されており、小径の点火用燃料ガス流路２２を備えている。
【００２７】
点火プラグ２１は、パイロットバーナ２０に連結された保持部材２３により保持され、点火用燃料ガス流路２２の先端から燃料ガスが噴出したとき、パイロットバーナ２０の先端との間で火花放電を発生させてパイロットバーナ２０に点火する。
【００２８】
点火用燃料ガス流路２２は、コンロバーナ２に燃料ガスを供給する図示しないコックから分岐して燃料ガスが供給され、図２に示すように、点火用燃料ガス流路２２の先端から噴出する燃料ガスに点火プラグ２１により点火されると、二次空気案内筒９に向ってコンロバーナ２へのパイロット炎を形成する。パイロットバーナ２０により形成するパイロット炎は、小径の点火用燃料ガス流路２２から噴出される燃料ガスにより細長く伸びるように形成される。
【００２９】
図１及び図２に示すように、二次空気案内筒９により形成されたバーナ内周空間１０における二次空気案内筒９の内面と鍋底温度センサ１５との間には、パイロット炎を案内する樋状の炎案内部材２４が上下方向に延設されている。
【００３０】
図４に示すように、炎案内部材２４は、４つの帯状の壁板（第１壁板２４１、第２壁板２４２、第３壁板２４３、第４壁板２４４）により構成され、二次空気整流板１１（図４において仮想線示している）の裏面に溶接等により固設されている。
【００３１】
第１壁板２４１は、鍋底温度センサ１５側に位置して炎案内部材２４の略全長にわたって設けられている。第２壁板２４２は、第１壁板２４１の一側縁に沿って炎案内部材２４の略全長にわたって設けられている。第３壁板２４３は、炎案内部材２４の略下半部で第１壁板２４１に対向して設けられている。第４壁板２４４は、第１壁板２４１の他側縁に沿って炎案内部材２４の略下半部で第２壁板２４２に対向して設けられている。
【００３２】
第２壁板２４２の下端部の面は、パイロットバーナ２０の先端に対向しており、パイロット炎を炎案内部材２４に導入する導入部２４ａとされている。導入部２４ａの近傍に位置する第１壁板２４１の下端部片２４１ａと、第３壁板２４３の下端部片２４３ａとは互いに離反する方向に拡開してパイロット炎の導入を案内する。
【００３３】
また、第２壁板２４２の下端部には、導入部２４ａよりも更に下方に延びる延出部２４２ａが形成されており、万一、炎案内部材２４の内部を伝って煮汁等が流下しても、導入部２４ａを塞ぐことなく煮汁等が下方に流れ落ちるようになっている。
【００３４】
導入部２４ａから導入されたパイロット炎は第２壁板２４２に接し、図２に仮想線で示すように、二次空気案内筒９に沿っての上方に案内される。このとき、パイロット炎は第１壁板２４１と第３壁板２４３とにより広がりが規制されつつ上方に案内される。更に、第２壁板２４２の対向側が開放されているので、保炎用空気の導入が円滑に行われ、パイロット炎の消失が防止される。
【００３５】
また、図４を参照して、第１壁板２４１の略下半部は、鍋底温度センサ１５側に位置して導入部２４ａから導入されたパイロット炎と鍋底温度センサ１５とを非接触とするための隔壁部２４ｂとされている。これにより、図１に仮想線で示すように、パイロット炎は鍋底温度センサ１５に接触することなくバーナ内周空間１０を通って上昇する。
【００３６】
更に、図４を参照して、第１壁板２４１は、隔壁部２４ｂの上端から連続して屈曲する屈曲部２４ｃを介して、コンロバーナ２の外周に向かって延びている。第１壁板２４１、第２壁板２４２及び第３壁板２４３により上方に案内されたパイロット炎は、屈曲部２４ｃにおいて第１壁板２４１に当たり、強制的に水平方向の軌道に変更される。第１壁板２４１の両端で対向する第２壁板２４２及び第４壁板２４４も屈曲部２４ｃに沿って屈曲している。これにより、パイロット炎は広がりが規制されつつコンロバーナ２の外周に向かう。
【００３７】
また、図４に示すように、第４壁板２４４の下端部片２４４ａは、第２壁板２４２から離反する方向に傾斜しており、方向が変わる直前のパイロット炎を第４壁板２４４の下端部片２４４ａにより案内して円滑に屈曲部２４ｃに導入するようになっている。
【００３８】
そして、炎案内部材２４の上部側の終端は導出案内部２４ｄとされており、図１に仮想線で示すように、パイロット炎はバーナキャップ部７の炎孔８の直上位置近傍に導出される。このとき、屈曲部２４ｃから導出案内部２４ｄにかけて、第１壁板２４１の対向側が開放されているので、保炎用空気の導入が円滑に行われ、パイロット炎の消失が防止される。
【００３９】
以上のように、第１の実施形態のガスコンロは、炎案内部材２４を設けたことにより、パイロット炎が、鍋底温度センサ１５が設けられている二次空気案内筒９のバーナ内周空間１０を支障なく通過する。これにより、パイロットバーナ２０及び点火プラグ２１をコンロ本体内部におけるコンロバーナ２の下方位置に設けることができ、鍋底温度センサ１５が設けられていても、コンロバーナ２に確実に点火することができる。
【００４０】
次に、本発明の第２の実施形態のガスコンロについて、図５〜図８を参照して説明する。第２の実施形態のガスコンロは、図５に示すように、天板３０上に露出するコンロバーナ３１と、コンロバーナ３１の中央部から上方に突出する鍋底温度センサ３２とを備えている。
【００４１】
コンロバーナ３１は、図５に一部を示す混合管部３３と、混合管部３３に連設された中空のバーナヘッド部３４と、バーナヘッド部３４の上端に載置されるバーナキャップ部３５とを備えている。
【００４２】
バーナヘッド部３４は、天板３０に形成されているバーナ用開口３６に挿通されて天板３０上に露出される。天板３０は、図示省略した箱形状のコンロ本体の上面を覆っており、コンロバーナ３１の混合管部３３は、コンロ本体に収容されている。また、図示しないが、コンロバーナ３１の外周側の天板３０上には調理の際に鍋等の調理容器を支持する五徳が載置されている。
【００４３】
図５に示すように、バーナキャップ部３５の下面外周部には、周方向の隙間を存して多数の歯形が垂設され、これら歯形間の隙間で炎孔３７が形成されている。そして、混合管部３３で生成される混合気（燃料ガスと一次空気との混合ガス）がバーナヘッド部３４を介してバーナキャップ部３５の炎孔３７から噴出して燃焼するようになっている。
【００４４】
バーナキャップ部３５の内側には、上下方向に延びる筒状の二次空気案内筒３８が設けられている。二次空気案内筒３８はバーナヘッド部３４の内筒部３９に挿着され、バーナキャップ部３５の二次空気案内筒３８と、バーナヘッド部３４の内筒部３９とにより、コンロ本体内部と通気可能に連通するバーナ内周空間４０を形成している。
【００４５】
更に、バーナキャップ部３５上には、環状の二次空気整流板４１が取り付けられている。二次空気整流板４１は、二次空気案内筒３８の内部を上昇した二次空気を付き当てて放射方向に拡散させ、バーナキャップ部３５の炎孔３７に燃焼用二次空気が円滑に供給されるようにしている。また、天板３０のバーナ用開口３６の周縁とバーナヘッド部３４との間に形成されている隙間は、カバーリング４２により覆われることにより、コンロ本体内部への煮こぼれ汁や塵埃等の異物の侵入が防止されている。
【００４６】
鍋底温度センサ３２は、鉛直方向に延びる支持パイプ４３と、支持パイプ４３の上端部に設けられた感熱ヘッド４４とを備えている。支持パイプ４３は、図示しない支持部材によりコンロ本体に支持されている。感熱ヘッド４４は、図示しない感熱素子とバネ部材とを内蔵しており、感熱素子から延びるリード線４５が支持パイプ４３内を通って、コンロ本体に設けられている図示しない制御装置に接続されている。
【００４７】
感熱ヘッド４４は、前記バネ部材により上方に付勢された状態で下方に移動可能とされている。そして、感熱ヘッド４４は、鍋等の調理容器の底が頂部面４６に当接すると、調理容器の荷重によって下方に移動し、五徳上の調理容器への当接状態を維持する。このように構成された鍋底温度センサ３２は、コンロバーナ３１に加熱された調理容器の温度を検出し、リード線４５を介してその検出結果を前記制御手段に渡す。これにより、制御手段は、調理容器から検出された温度に応じてコンロバーナ３１の火力調節や消火等を行う。
【００４８】
図５に示すように、コンロ本体内部におけるコンロバーナ３１の下方位置には、パイロットバーナ４７とパイロットバーナ４７に点火するための点火プラグ４８とが設けられている。パイロットバーナ４７は、先端が炎形成口４９となっている小径管状の点火用燃料ガス流路５０を備えている。点火用燃料ガス流路５０は、その炎形成口４９を鉛直上方を向けて設けられている。点火用燃料ガス流路５０には、コンロバーナ３１に燃料ガスを供給する図示しないコックから分岐して燃料ガスが供給される。
【００４９】
点火プラグ４８は、パイロットバーナ４７に連結された保持部材５１により保持され、点火用燃料ガス流路５０の先端の炎形成口４９から燃料ガスが噴出したとき、パイロットバーナ４７の先端との間で火花放電を発生させてパイロットバーナ４７に点火する。
【００５０】
パイロットバーナ４７に点火されると、点火用燃料ガス流路５０の炎形成口４９から噴出する燃料ガスにより、炎が上方に細長く伸びるように形成される。このときの炎がコンロバーナ３１へのパイロット炎となる。
【００５１】
また、バーナ内周空間４０には、パイロットバーナ４７のパイロット炎を案内する炎案内部材５２が設けられている。炎案内部材５２は、バーナ内周空間４０に沿って上下方向に延びる隔壁部５３と、隔壁部５３の上縁に屈曲部５４を介してバーナキャップ部３５の外周端に向かって略水平に延びる導出案内部５５とを備えている。
【００５２】
炎案内部材５２は、図６に示すように、金属製薄板を折り曲げることにより形成されている。隔壁部５３には、複数の空気取入孔５６が形成されている。空気取入孔５６は、その上縁に連設された舌片５７を備えている。
【００５３】
図６に示すように、導出案内部５５は、屈曲部５４側の基端縁から次第に拡開して基端縁よりも幅広の先端縁を備える形状とされている。導出案内部５５の両側縁からは下方に折り曲げ形成された掛止片５８が設けられている。屈曲部５４は、２つの曲げ部５４ａ，５４ｂと両曲げ部５４ａ，５４ｂ間で傾斜する傾斜部５４ｃとで構成されている。
【００５４】
炎案内部材５２は、図７に示すように、バーナキャップ部３５に設けられた支持突起５９に掛止片５８を掛止させることにより、バーナ内周空間４０に保持される。このとき、図７に示すように、導出案内部５５の一部を支持突起５９の上面にねじ部材５９ａにより固定してもよい。これにより、バーナキャップ部３５と炎案内部材５２とを強固に連結することができる。
【００５５】
バーナ内周空間４０に保持された状態の炎案内部材５２の隔壁部５３は、図８に示すように、鍋底温度センサ３２と二次空気案内筒３８との間に配置される。そして、隔壁部５３は、二次空気案内筒３８の湾曲する内面の一部を内側から覆うことにより、隔壁部５３と二次空気案内筒３８とによる上下に延びる空間を形成する。このとき形成される空間は、パイロット炎案内路６０とされ、図８に示すように、パイロット炎案内路６０の下端にはパイロットバーナ４７が下方から臨む。
【００５６】
コンロバーナ３１への点火を図５を参照して説明すれば、先ず、点火プラグ４８によりパイロットバーナ４７に点火することで、上方に延びるパイロット炎が形成される。パイロットバーナ４７によるパイロット炎は、パイロット炎案内路６０に導入され、パイロット炎案内路６０により上方に案内される。このとき、パイロット炎は、隔壁部５３によって、鍋底温度センサ３２と非接触状態で案内されるので、鍋底温度センサ３２の損傷が防止される。
【００５７】
また、隔壁部５３に形成された空気取入孔５６からは、パイロット炎の形成に伴ってパイロット炎案内路６０の内部に保炎用空気が取り入れられるので、パイロット炎の消失が防止される。しかも、空気取入孔５６の上縁に連設された舌片５７により、パイロット炎が空気取入孔５６を介して鍋底温度センサ３２側に漏れることが防止される。
【００５８】
パイロット炎案内路６０の内部を上方に案内されたパイロット炎は、屈曲部５４により略水平方向に屈曲案内される。このとき、屈曲部５４が２つの曲げ部５４ａ，５４ｂと両曲げ部５４ａ，５４ｂ間で傾斜する傾斜部５４ｃとで構成されていることにより、パイロット炎は、急激な方向変換が緩和された状態で円滑に屈曲案内されて導出案内部５５に向かう。
【００５９】
そして、パイロット炎は、導出案内部５５によって、バーナキャップ部３５の炎孔３７の直上位置近傍に導出される。このとき、導出案内部５５が、図７に示すように、コンロバーナ３１の外周端に向かって次第に拡開する形状に形成されていることにより、パイロット炎の形成空間が十分に確保されて保炎効果が得られるので、パイロット炎はその形成状態が良好に維持される。
【００６０】
更に、図５に示すように、二次空気整流板４１をその内周縁から外周縁に向かって下方に傾斜する形状に形成しておくことにより、導出案内部５５から導出されたパイロット炎を二次空気整流板４１の外周縁側で更に下方に向けて案内することができる。これによれば、バーナキャップ部３５の炎孔３７に対してパイロット炎を一層近接させることができ、コンロバーナ３１への点火を一層確実に行うことができる。
【００６１】
以上のように、第２の実施形態のガスコンロは、炎案内部材５２を設けたことにより、パイロット炎が、鍋底温度センサ３２が設けられている二次空気案内筒３８のバーナ内周空間４０を支障なく通過する。これにより、パイロットバーナ４７及び点火プラグ４８をコンロ本体内部におけるコンロバーナ３１の下方位置に設けることができ、鍋底温度センサ３２が設けられていても、コンロバーナ３１に確実に点火することができる。
【００６２】
なお、第１の実施形態で示した炎案内部材２４においては、この炎案内部材２４が樋状であることにより、パイロット炎への保炎用空気の供給が十分に行えるようになっているが、より多くの保炎用空気の供給が必要な場合には、樋状に形成された炎案内部材２４であっても、その隔壁部２４ｂに空気取入孔を形成してもよい。
【００６３】
また、第１の実施形態で示した炎案内部材２４においても、その上部側の終端の導出案内部２４ｄをバーナキャップ部７の外周縁に向かって次第に拡開する形状に形成することにより、導出案内部２４ｄから導出されるパイロット炎の保炎効果を向上させることができる。
【符号の説明】
【００６４】
２，３１…コンロバーナ、８，３７…炎孔、１０，４０…バーナ内周空間、１５，３２…鍋底温度センサ、２０，４７…パイロットバーナ、２１，４８…点火プラグ、２４，５２…炎案内部材、２４ｂ，５３…隔壁部、２４ｃ，５４…屈曲部、２４ｄ，５５…導出案内部、５６…空気取入孔。
【図１】
0005663527.tif 000002
【図２】
0005663527.tif 000003
【図３】
0005663527.tif 000004
【図４】
0005663527.tif 000005
【図５】
0005663527.tif 000006
【図６】
0005663527.tif 000007
【図７】
0005663527.tif 000008
【図８】
0005663527.tif 000009